(57)【特許請求の範囲】
【請求項１】
被洗浄物の出し入れを行うための密封可能な開口部を有する袋体であって、該袋体の一部に、通気性は有するが、液通過性が低い通気孔を備えた通気性基材から構成された脱気部が形成されたことを特徴とする洗浄用袋体。
【発明の詳細な説明】
【０００１】
【発明の属する技術分野】
本発明は、汚れのひどい空気調和機用フィルターや換気扇の羽根、あるいは、殺菌・漂白が必要なまな板等の漬け置き洗いが必要な被洗浄物を洗浄する際に使用する洗浄用袋体に関するものである。
【０００２】
【従来の技術】
換気扇の羽根やフィルター、あるいはまな板等の漬け置き洗いを必要とする被洗浄物は比較的寸法が大きく、このような被洗浄物を洗浄液に浸漬するためには大型の容器が必要となるが、このような大型容器を確保するのは困難であるとともに、多量の洗浄液が必要となる。
【０００３】
また、水に浮く比重の軽い被洗浄物を漬け置き洗いする場合には、水から露出した部分が洗浄できないといった問題も生じていた。
【０００４】
このような問題を解決する手段として、例えば、ポリ塩化ビニル等の可撓性を有する材料からなる袋体を用いる方法が考えられる。この方法では、被洗浄物の形状に応じて袋体を自由に変形させることが可能となるため、少量の洗浄液で被洗浄物の漬け置き洗いが可能になる。
【０００５】
【発明が解決しようとする課題】
上記方法においては、袋体の開口部から被洗浄物及び洗浄液を袋体内部に収納した後、袋体内部に残存する空気を脱気しないと、被洗浄物全体を洗浄液に浸漬することができなくなる。
【０００６】
しかしながら、袋体の開口部から脱気しようとすれば、空気とともに洗浄液が溢れだして周囲を汚す危険性が生じていた。また、脱気した状態を維持するためには脱気後に開口部を密封するという煩雑な操作が必要となる上に、操作の途中で袋体の変形により逆に空気が袋体内に入り込んで被洗浄物の一部が洗浄液に浸漬されないといった問題が生じていた。
【０００７】
そこで、本発明においては、脱気が容易で、かつ脱気後の空気の流入を防止することができ、少量の洗浄液で被洗浄物の漬け置き洗いが可能な洗浄用袋体を提供することを目的とする。
【０００８】
【課題を解決するための手段】
上記目的を達成するため、本発明に係る洗浄用袋体は、被洗浄物の出し入れを行うための密封可能な開口部を有し、袋体の一部に微細な通気孔を備えた通気性基材からなる脱気部が形成されたことを特徴とするものである。
【０００９】
上記構成によれば、洗浄用袋体内に被洗浄物及び洗浄液を収納後、開口部を密封したときに、袋体内に残存する空気は脱気部を通じて容易に脱気することができ、脱気終了後には通気性基材に洗浄液が接触することにより、洗浄液が通気孔を塞ぐため、洗浄液の外部への流出及び外部からの空気の流入を防止することが可能となる。
【００１０】
本発明において使用される袋体の材質としては、被洗浄物の形状に合わせて密着し得る可撓性及び防水性を備えたものであれば特に限定されず、具体的には、ポリエチレン、ポリプロピレン、ポリ塩化ビニル等を挙げることができる。
【００１１】
微細な通気孔とは、通気性は有するが、液通過性が低く、水が接触したときに通気孔が水で塞がれ、外部への水の流出を防止する大きさの通気孔を意味し、具体的には通気度が０．５ｃｃ／ｃｍ２／ｓ以上、好ましくは２ｃｃ／ｃｍ２／ｓ以上（ＪＩＳ  Ｌ１０９６）、耐水圧が５０ｍｍＡｑ以上、好ましくは２００ｍｍＡｑ以上（ＪＩＳ  Ｌ１０９２）であることが望ましい。
【００１２】
通気度が０．５ｃｃ／ｃｍ２／ｓｅｃ未満では脱気に要する時間が長くなりすぎる。また、耐水圧が５０ｍｍＡｑ未満では洗浄液が漏れるおそれが生じる。なお、ここでいう微細な通気孔には、不織布のように繊維間に形成される微細な間隙も含まれる。
【００１３】
微細な通気孔を備えた通気性基材としては、具体的には、上記のように不織布や、合成樹脂製の通気性防水シート等が挙げられ、これらは単独で使用しても良いし、複数種を組み合わせて積層したものを使用することも可能である。
【００１４】
なお、洗浄液は、あらかじめ調製されたものを袋体に収納しても良いし、固形状あるいは濃縮タイプの液状洗浄剤と、水とを別々に袋体に収納し、袋体内部で洗浄剤が水に溶解あるいは希釈されることによって、洗浄液が調製されるようにすることも可能である。
【００１５】
【発明の実施の形態】
以下、本発明の実施の形態を図面に基づいて説明する。図１は、本発明に係る洗浄用袋体の実施の形態を示す図である。洗浄用袋体１は、可撓性を有する縦長矩形のポリエチレンシート２ａ，２ｂを２枚重ね合せて短辺の一方を開口部３とし、他の三辺を融着して作成されている。開口部３には、一対の線状ファスナー１１が形成されており、これにより開口部を密封可能としている。
【００１６】
上面側のポリエチレンシート２ａの長さ方向中央部には、ポリエチレンシートの一部を切り欠いて、この切欠部を覆うようにして通気性基材４がポリエチレンシート２ａの内面側に融着されており、この通気性基材４によって、脱気部５が形成されている。
【００１７】
通気性基材４としては、図２に示すように、微細な通気孔を備えたポリプロピレン製のメルトブロー不織布６の両面に、補強用としてポリエチレン製スパンボンド不織布７を加熱圧着した３層構造のものが用いられている。この通気性基材４は、目付量：１６０ｇ／ｍ２、通気度：４ｃｃ／ｃｍ２／ｓｅｃ、耐水圧：１３４０ｍｍＡｑであった。
【００１８】
図３は、洗浄用袋体を使用して被洗浄物を漬け置き洗いする作業状態を示す図である。先ず、（ａ）で、洗浄用袋体１の開口部３から被洗浄物８を袋内部に収納し、（ｂ）で、開口部を上に向けて洗浄液９を袋体１の中に注ぎ込む。
【００１９】
（ｃ）で、開口部３を密封した後、袋体１を上から押圧して内部に残存した空気をを脱気部５から抜く。脱気が終了した時点では、（ｄ）に示すように被洗浄物は洗浄液に完全に浸漬した状態となり、通気性基材４は洗浄液９に接触することで、洗浄液９が通気孔を塞ぐために洗浄液の外部への流出、および、外部からの空気の流入が阻止される。
【００２０】
なお、図３に示すように被洗浄物８の下面側が平面状の場合には、被洗浄物の下側に断面が半円状や三角形状などの適当な形状のスペーサ１０を配することにより、被洗浄物８の下面側も十分に洗浄液８に接触させることが望ましい。
【００２１】
以上のようにして脱気した洗浄用袋体１は、６時間経過後においても、洗浄液の外部への流出及び外部からの空気の流入は認められず、優れた効果を奏することが確認された。
【００２２】
なお、本実施の形態においては、脱気部５を袋体１の長さ方向中央部に形成したが、被洗浄物の形状に応じてその形成位置、形状及び大きさを適宜変更することが可能である。
【００２３】
【発明の効果】
以上の説明から明らかなように、本発明によると、袋体の一部に微細な通気孔を備えた通気性基材から構成された脱気部が形成されたことによって、脱気が容易で、洗浄液の外部への流出、および、脱気後の空気の流入を防止することができ、少量の洗浄液で被洗浄物の漬け置き洗いが可能となる。
【００２４】
また、水に浮く比重の軽い被洗浄物を漬け置き洗いする際にも、被洗浄物全体を長時間漬け置くことが可能となる。
【図面の簡単な説明】
【図１】本発明に係る洗浄用袋体を示す平面図
【図２】通気性基材の断面図
【図３】洗浄用袋体を使用して被洗浄物を漬け置き洗いする作業状態を示す図
【符号の説明】
１        洗浄用袋体
２        ポリエチレンシート
３        開口部
４        通気性基材
５        脱気部
【図１】
0004414032.tif 000002
【図２】
0004414032.tif 000003
【図３】
0004414032.tif 000004